(57)【要約】【課題】液流れや液戻りが生じにくく、ドライ感及び漏れ防止性に優れた吸収性物品の表面シートを提供すること。【解決手段】本発明の吸収性物品の表面シート２は、疎水性繊維を主体として構成された不織布からなる吸収性物品の表面シートであり、肌当接面２ａに、親水化剤が施された親水性領域２２と該親水性領域２２に周囲を囲まれた多数の疎水性領域２３が形成されており、表面シート２における親水性領域２２を有する部分２０は、非肌当接面２０ｂ側の親水度が肌当接面２０ａ側の親水度より低くなっている。本発明の吸収性物品は、上記構成の表面シート２を具備することを特徴とする。【選択図】図４
2010094447.tif 000002
【特許請求の範囲】
【請求項１】
疎水性繊維を主体として構成された不織布からなる吸収性物品の表面シートであって、
肌当接面に、親水化剤が施された親水性領域と該親水性領域に周囲を囲まれた多数の疎水性領域が形成されており、前記表面シートにおける前記親水性領域を有する部分は、非肌当接面側の親水度が肌当接面側の親水度より低くなっている、吸収性物品の表面シート。
【請求項２】
前記親水性領域は、線状に形成されており、線と線の交点が、肌当接面の一方向及びその直交方向に分散した状態に多数形成されている、請求項１記載の吸収性物品の表面シート。
【請求項３】
前記疎水性領域の面積が、表面シートの表面積に対して６０〜９０％である、請求項１又は２記載の吸収性物品の表面シート。
【請求項４】
肌当接面側にエンボス部が形成されており、該エンボス部に前記親水化剤が施されて前記親水性領域が形成されている、請求項１〜３の何れかに記載の吸収性物品の表面シート。
【請求項５】
請求項１〜４の何れかに記載の吸収性物品の表面シート、裏面シート及びこれら両シート間に位置する吸収体を備えた吸収性物品。
【請求項６】
請求項２に記載の吸収性物品の表面シートを具備し、実質的に縦長の形状を有しており、前記表面シートの前記親水性領域が、吸収性物品の長手方向と平行な線状部分を有しない、請求項５記載の吸収性物品。
【発明の詳細な説明】
【技術分野】
【０００１】
本発明は、吸収性物品の表面シートに関する。
【背景技術】
【０００２】
従来、生理用ナプキンや使い捨ておむつ等の吸収性物品の表面シートとして、着用者の肌に当接される肌当接面に、親水性領域と疎水性領域とを設けたものが知られている。
例えば、特許文献１には、親水性繊維を主体とする不織布からなり、該不織布に、親水部と、撥水剤が塗布又は印刷されることによってパターン形成される疎水部とが存在し、疎水部の面積が不織布の表面積に対して２０〜７０％であるものが記載されている。
【０００３】
また、特許文献２には、親水性のベースシートの高さを高くした領域上に優先的に疎水性物質を堆積し、疎水性物質が堆積した部分を疎水性、それ以外を親水性とした吸収性ウェブが記載されている。
【０００４】
【特許文献１】特開平１０−２８７００号公報
【特許文献２】特表２００１−５２１５９０号公報
【発明の開示】
【発明が解決しようとする課題】
【０００５】
特許文献１には、特許文献１記載の表面シートは、サラット感が良好であることが記載されている。
しかし、特許文献１に具体的に記載された疎水部の形成パターンは、表面シートの面と平行な一方向、又は互いに直交する二方向に疎水部が連続的に延びており、そのため、液が、疎水部上を流れて広範囲に拡がり、漏れや、使用後のナプキン等の外観の悪化を招く恐れがある。
【０００６】
また、特許文献２のライナーにおいては、親水性のベースシートを用いているため、吸収体に一旦吸収された液が、親水性の部分を介して肌当接面に戻る液戻り（ウエットバック）が生じ易い。この液戻りは、べたつきを生じさせたり、ドライ感ないしサラット感を低下させる原因となる。
【０００７】
従って、本発明の目的は、表面の液流れや液戻りが生じにくく、ドライ感及び漏れ防止性に優れた、吸収性物品の表面シートを提供することにある。
【課題を解決するための手段】
【０００８】
本発明は、疎水性繊維を主体として構成された不織布からなる吸収性物品の表面シートであって、肌当接面に、親水化剤が施された親水性領域と該親水性領域に周囲を囲まれた多数の疎水性領域が形成されており、前記表面シートにおける前記親水性領域を有する部分は、非肌当接面側の親水度が肌当接面側の親水度より低くなっている、吸収性物品の表面シートを提供することにより前記目的を達成したものである。
【発明の効果】
【０００９】
本発明の吸収性物品の表面シートは、表面の液流れや液戻りが生じにくく、ドライ感及び漏れ防止性に優れている。
【発明を実施するための最良の形態】
【００１０】
以下に、本発明について、その好ましい一実施形態に基づき図面を参照しながら説明する。
第１実施形態の生理用ナプキン１は、図１及び図２に示すように、表面シート２、裏面シート３及びこれら両シート２，３間に位置する吸収体４を備えている。
表面シート２は、生理用ナプキン１における、着用時に着用者の肌に当接される肌当接面Ｐを構成し、裏面シート３は、生理用ナプキン１における、肌当接面Ｐとは反対側の面である非肌当接面Ｑを構成している。表面シート２は液透過性を有しており、裏面シート３は液不透過性又は撥水性である。
裏面シート３の非肌当接面Ｑ側の面には、生理用ナプキン１をショーツのクロッチ部に固定するための粘着部５が形成されている。
吸収体４及び裏面シート３としては、従来この種の物品に使用されているものを特に制限なく用いることができる。例えば、吸収体４としては、パルプ繊維等の親水性繊維からなる繊維集合体又はこれに吸水性ポリマーを担持させたものを、ティッシュペーパーや透水性の薄い不織布で被覆したもの等を用いることができ、裏面シート３としては、樹脂フィルムや、樹脂フィルムと不織布との積層体等を用いることができる。
【００１１】
図１に示す生理用ナプキン１の表面シート２は、本発明の吸収性物品の表面シートの一実施形態である。
表面シート２は、疎水性繊維を主体として構成された不織布（以下、疎水性不織布ともいう）からなる。
疎水性不織布を構成する疎水性繊維としては、例えばポリオレフィンやポリエステルなどの熱可塑性樹脂からなるものが用いられる。このような繊維は、ポリオレフィン単独あるいはポリエステル単独からなる繊維であってもよく、或いは２種の異なるポリオレフィン又はポリオレフィンと他のポリマーとの混合紡糸繊維又は複合繊維（芯鞘型、サイドバイサイド型、交互配列型、海島型など）であってもよい。
【００１２】
好ましく用いられるポリオレフィンとしては、例えばポリエチレン、ポリプロピレン、ポリブテン−１、ポリペンテン−１、及びこれらのランダム又はブロック共重合体等が挙げられる。ポリオレフィンと混合或いは複合できるポリマーとしては、例えばポリエチレンテレフテレート、ポリブチレンテレフタレートなどのポリエステル、ナイロン−６やナイロン−６６などのポリアミドを挙げることができる。
【００１３】
不織布中の疎水性繊維の割合は、該不織布を基本的に疎水性とする観点から、不織布の構成繊維中、８０質量％以上であることが好ましく、９０質量％以上であることがより好ましく、１００質量％であることが更に好ましい。
【００１４】
疎水性不織布としては、各種の製造方法により製造された不織布を用いることができる。例えば、スパンボンド法、メルトブローン法により製造した不織布や、カード機を用いて得られたウエブをエアスルー法やヒートロール法による不織布化したもの、カード機を用いて得られたウエブを、ニードルパンチ法やスパンレース法などにより不織布化したもの等を用いることができる。また、不織布は、単体の不織布であることが好ましいが、不織布同士を複合・一体化した積層不織布を用いることもできる。
疎水性不織布を構成する疎水性繊維には、基本的に、親水化油剤を練り込んだり、親水化油剤を表面に付着させたりしない。
【００１５】
表面シート２は、その肌当接面２ａに、図３及び図４に示すように、親水化剤２２が塗布された親水性領域２１と該親水性領域２１に周囲を囲まれた多数の疎水性領域２３が形成されている。親水性領域２１は、図４に示すように、表面シート２を構成する疎水性不織布の肌当接面２ａ側の表面に親水化剤２２を塗布して形成されており、それにより、表面シート２における、親水性領域２１を有する部分２０は、非肌当接面２０ｂ側の親水度が肌当接面２０ａ側の親水度より低くなっている。親水化剤２２の塗布は、親水化剤２２が、表面シート２の非肌当接面２０ｂに達しないように塗布することが好ましい。
親水性領域２１を有する部分２０の非肌当接面２０ｂ側の親水度が該部分２０の肌当接面２０ａ側の親水度より低いか否かは、例えば、表面シートの肌当接面２０ａ及び非肌当接面２０ｂにそれぞれ水滴を滴下したときの、肌当接面２０ａ及び肌当接面２０ａに対する水滴の接触角を測定する方法や吸収速度を測定する方法等の各種公知の方法により確認できる。
【００１６】
親水化剤２２としては、各種公知のものを特に制限なく使用することができ、例えば、親水性の油剤が用いられる。親水性の油剤としては、アニオン性、カチオン性、両性あるいはノニオン性の界面活性剤が一般的であるが、特にこれらに限定されるものではない。これらは所定濃度の水溶液や乳化液等にして用いることもできる。好ましい親水化剤としては、脂肪族モノカルボン酸塩、ポリオキシエチレンアルキル硫酸塩、ポリオキシエチレンアルキルりん酸塩、グリセリン脂肪酸エステル、ソルビタン脂肪酸エステル、しょ糖脂肪酸エステル、ポリオキシエチレンアルキルエーテル、脂肪酸ポリエチレングリコール、アルキルアミン塩、アルキルベタイン等を挙げることができる。
親水化剤の塗布方法は、特に限定されないが、例えば、インクジェット印刷、グラビア印刷、スクリーン印刷、噴霧、刷毛塗布などの方法で塗布することができ、特にインクジェット印刷、噴霧が親水性領域２１を有する部分２０の非肌当接面２０ｂ側の親水度が該部分２０の肌当接面２０ａ側の親水度より低くする観点から好ましい。
【００１７】
本実施形態の表面シート２は、その肌当接面２ａに、親水性領域２１と該親水性領域に周囲を囲まれた多数の疎水性領域２３を有し、親水性領域２１を有する部分２０の非肌当接面２０ｂ側の親水度が同部分２０の肌当接面２０ａ側の親水度より低くなっているため、疎水性領域２３によるべたつき防止性と、親水性領域２１による液の吸収体への引き込み性と、親水性領域２１を有する部分２０の非肌当接面２０ｂ側の親水性の低いことによる液戻り防止性とが、バランス良く発現される。
これにより、本実施形態における表面シート２は、表面の液流れや液戻りが生じにくく、ドライ感及び漏れ防止性に優れている。また、表面シート２を用いた生理用ナプキン１も、表面の液流れや液戻りが生じにくく、ドライ感及び漏れ防止性に優れている。
表面の液流れが生じ難いことは、よこ漏れ等の漏れが生じにくくなることや、経血等の色の付いた液体が拡がる範囲が小さくなり使用後の外観が向上する等の利点がなる。表面への液戻りが生じ難いことは、ドライ感の向上や、経血等の色の付いた液体が表面に戻りにくくなり使用後の外観が一層向上する等の利点がなる。
【００１８】
液流れの防止及びドライ感の向上等の観点から、疎水性領域２３の面積は、表面シート２の表面積に対して６０〜９０％であることが好ましく、より好ましくは７０〜９０％、更に好ましくは８０〜９０％である。尚、第１実施形態に係る表面シート２の個々の疎水性領域２３は、略全域が平面状を維持している。
【００１９】
本実施形態の表面シート２における親水性領域２１は、図３に示すように、線状に形成されており、線と線の交点２１ｃが、肌当接面２ａの一方向（図３中のＸ方向）及びその直交方向（図３中のＹ方向）に分散した状態に多数形成されている。より具体的に説明すると、親水性領域２１として、互いに平行に形成された複数本の第１線状領域２１ａと、互いに平行に形成された複数本の第２線状領域２１ｂとを有しており、それら複数本の第１線状領域２１ａと複数本の第２線状領域２１ｂとが互いに交差している。本実施形態において、図３中のＸ方向は、生理用ナプキン１の長手方向（図１中のＸ方向）である。疎水性領域２３は、２本の第１線状領域２１ａと２本の第２線状領域２１ｂとに囲まれた領域であり、図３では、菱形状に形成されている。
【００２０】
疎水性領域２３によるべたつき防止性と、親水性領域２１による液の吸収体への引き込み性と、親水性領域２１を有する部分２０の液戻り防止性とをバランス良く発現させ、ドライ感及び漏れ防止性に一層優れた、表面シートや生理用ナプキンとする観点から、線状の親水性領域２１の幅Ｗ１（図３参照）は、０．５〜１０ｍｍ、特に１〜５ｍｍであることが好ましく、線状の親水性領域２１の同士間の幅Ｗ２（図３参照）は、５〜１０ｍｍ、特に６〜８ｍｍであることがこのましい。
【００２１】
また、菱形状又は正方形状の疎水性領域２３を形成する場合の疎水性領域２３のナプキン前後方向の内角の角度α（図３参照）は、３０〜１２０度、特に４０〜９０度であることが好ましい。
また、親水性領域２３は、本実施形態及び後述する図６に示す実施形態におけるように、生理用ナプキン（吸収性物品）の長手方向（Ｘ方向）と平行な線状部分を有しないことが、液が、ナプキンの長手方向に流れることを抑制し、漏れ防止性や使用後の外観を一層向上させ得る観点から好ましい。
【００２２】
図５は、本発明の第２実施形態の生理用ナプキン及び表面シートを示す図（図４相当図）である。
第２実施形態については、主として、第１実施形態の生理用ナプキン及び表面シートとの相違点について説明し、同様の点については説明を省略する。特に説明しない点については、第１実施形態について上述した説明が適宜適用される。
【００２３】
第２実施形態の表面シート２Ａは、図５に示すように、肌当接面Ｐ側にエンボス部６が形成されており、該エンボス部６に、親水化剤２２が塗布されて親水性領域２１が形成されている。エンボス部６の形成パターンと親水性領域２１の形成パターンとは一致しており、親水性領域２１は、疎水性領域２３よりも窪んだエンボス部６内に形成されている。
エンボス部６の形成は、例えば、周面に、図３に示す親水性領域２１の形成パターンに対応するパターンの凸部を有するエンボスロールと、該エンボスロールに対向配置されたアンビルロールとの間に不織布を導入し、エンボスロールの凸部とアンビルロールの平滑な周面との間で該不織布を圧縮することにより行う。
このエンボス加工は、熱エンボス、超音波エンボス、高周波エンボス、圧縮するだけのエンボスのいずれであっても良い。
【００２４】
第２実施形態の表面シート２Ａ及びその表面シートを用いた生理用ナプキン（吸収性物品）によれば、第１実施形態と同様の作用効果がより一層向上して奏される。
尚、第２実施形態の表面シート２Ａの個々の疎水性領域２３も、凸部の頂部のみを疎水化したようなものとは異なり、疎水性領域２３の中央部は平面状を維持している。
【００２５】
以上、本発明の好ましい幾つかの実施形態について説明したが、本発明の表面シート及び吸収性物品は、上述した実施形態に制限されず、適宜変更が可能である。
例えば、親水性領域２１の形成パターンは、菱形状の疎水性領域２３を形成する上述したパターンに制限されず、図６又は図７に示すようなパターン等であっても良い。
また、吸収性物品は、生理用ナプキン以外のものであっても良く、生理用ナプキン以外の吸収性物品としては、パンティライナー（下り物シート）、失禁パッド、使い捨ておむつ、ハイジーンパッド、授乳パッド等が挙げられる。
【実施例】
【００２６】
以下、本発明を実施例を用いて更に説明するが、本発明は、かかる実施例によって何ら制限されるものではない。
〔実施例１〕
下記疎水性不織布に、超音波エンボスにより、エンボス部を形成し、該エンボス部に下記親水化剤を塗布して親水性領域を形成した。得られたシートを、実施例１の表面シートとした。親水性領域の形成パターンは、図３に示すパターンとし、幅Ｗ１＝１ｍｍ、幅Ｗ２＝８ｍｍ、角度α＝６０度とした。エンボス部の形成パターンも同様のパターンとした。疎水性領域の面積割合は、不織布（片面）の全面積の８０％であった。
〔疎水性不織布〕
繊維径３．３ｄｔｅｘの芯鞘型複合繊維（芯がポリエチレンテレフタレート、鞘がポリエチレン、容積比４０／６０）をカード機に通してウェブとし、このウェブを熱風処理により不織布化してエアスルー不織布（２５ｇ／ｍ2）を得た。このエアスルー不織布は、構成繊維に親水化油剤を練り込んだり、構成繊維に親水化油剤を付着させたりしていない。
〔親水化剤〕
ポリオキシエチレンアルキルりん酸塩
【００２７】
〔実施例２〕
疎水性不織布にエンボス部を形成しなかった以外は、実施例１と同様にして、実施例２の表面シートを得た。
【００２８】
〔比較例１〕
エンボス部及び親水性領域の形成パターンを、ドット状のパターンに変えた以外は、実施例１と同様にして、比較例１の表面シートを得た。ドット状のパターンは、各ドットの直径が１ｍｍ、ドット間距離が１．８ｍｍとし、それらを千鳥状に配置したパターンとした。
〔比較例２〕
実施例１で用いた疎水性不織布をそのまま比較例２の表面シートとした。
〔比較例３〕
実施例２で用いた疎水性不織布の全面をポリオキシエチレンアルキルりん酸塩で親水化し、比較例３の表面シートとした。
【００２９】
〔参考例〕
実施例２において、親水性領域の形成パターンを、幅Ｗ１＝５ｍｍ、幅Ｗ２＝８ｍｍ、角度α＝６０度にした以外は、実施例２と同様にして、参考例１の表面シートを得た。疎水性領域の面積割合は不織布（片面）の全面積の４４％であった。
【００３０】
花王株式会社の市販の生理用ナプキン（商品名「ロリエさらさらクッション肌きれい吸収」）から表面シートを取り除き、その代わりに、実施例及び比較例の各表面シートを積層し、その周囲を固定して評価用の生理用ナプキンを得た。
【００３１】
各生理用ナプキンを用いて下記の評価を行い、その結果を表１に示した。
〔血液吸収後の白さ及び赤み〕
生理用ナプキンを水平に置き、直径１ｃｍの注入口のついたアクリル板を重ねて、注入口から脱繊維馬血（日本バイオテスト（株）製）６ｇを注入し、注入後３分間その状態を保持した後アクリル板を取り除き、生理用ナプキンの脱繊維馬血が注入された部分のＬ*ａ*ｂ*表色系のＬ値及びａ*値を日本電色工業株式会社製ＭＦ３３３簡易型分色差計により測定した。
尚、「Ｌ*ａ*ｂ*表色系」とは、国際照明委員会（ＣＩＥ）で規格化され、ＪＩＳ（ＪＩＳ  Ｚ８７２９）においても採用されている表色系をいう。「Ｌ*ａ*ｂ*表色系」では、Ｌ*は明るさを、ａ*、ｂ*は色の方向を示しており、ａ*は略赤方向、−ａ*は略緑方向、ｂ*は略黄色方向、−ｂ*は略青方向を示している。
【００３２】
〔表面拡散面積〕
生理用ナプキンを水平に置き、直径１ｃｍの注入口のついたアクリル板を重ねて、注入口から脱繊維馬血（日本バイオテスト（株）製）６ｇを注入し、注入後３分間その状態を保持し、脱繊維馬血が広がった面積を測定した。
【００３３】
〔表面液残り量〕
生理用ナプキンを水平に置き、直径１ｃｍの注入口のついたアクリル板を重ねて、注入口から脱繊維馬血（日本バイオテスト（株）製）３ｇを注入し、注入後１分間その状態を保持した。次に、アクリル板を取り除き、表面シートの表面上に、縦６ｃｍ×横９．５ｃｍで坪量１３ｇ／ｍ2の吸収紙（市販のティッシュペーパー）を１６枚重ねて載せた。更にその上に圧力が５．３×１０2Ｐａになるように重りを載せて５秒間加圧した。加圧後、吸収紙を取り出し、加圧前後の紙の重さを測定して、紙に吸収された脱繊維馬血の重量を測定して表面液残り量とした。
【００３４】
〔表面液流れ距離〕
生理用ナプキンを、その表面シート側が上方に向けて、４５度に傾斜した板上に固定した。生理用ナプキンの中央部（排尿ポイント）の位置に、前記の脱繊維馬血を０．１ｇ／秒の速度で０．０５ｇ滴下し、脱繊維馬血が表面シート上を伝って流れ落ちた距離を測定した。
【００３５】
【表１】
2010094447.tif 000003
【００３６】
表１に示す結果から、実施例の表面シート及び生理用ナプキン（吸収性物品）は、表面液流れや液戻りが生じにくく、ドライ感や漏れ防止性に優れることが判る。これに対して、比較例１，２の表面シートは、表面液流れ距離が長く、液漏れや使用後の外観の悪化が起きやすい。他方、比較例３の表面シートは、表面液流れ距離は短いが、液残り量や拡散面積が大きく、ドライ感に劣り、使用後の外観の悪化も起こりやすい。
【図面の簡単な説明】
【００３７】
【図１】図１は、本発明の吸収性物品の第１実施形態である生理用ナプキンを示す斜視図である。
【図２】図２は、図１のＩＩ−ＩＩ線断面図である。
【図３】図１に示す生理用ナプキンの肌当接面の一部を拡大して示す拡大平面図である。
【図４】図３のＩＶ−ＩＶ線拡大断面図である。
【図５】図５は、本発明の第２実施形態を示す断面図（図２相当図）である。
【図６】図６は、親水性領域の他の形成パターンを示す図である。
【図７】図７は、親水性領域の更に他の形成パターンを示す図である。
【符号の説明】
【００３８】
１  生理用ナプキン
２  表面シート
２０  親水性領域を有する部分
２１  親水性領域
２１ａ  第１線状領域
２１ｂ  第２線状領域
２２  親水化剤
２３  疎水性領域
３  裏面シート
４  吸収体
５  粘着部
６  エンボス部
【図１】
2010094447.tif 000004
【図２】
2010094447.tif 000005
【図３】
2010094447.tif 000006
【図４】
2010094447.tif 000007
【図５】
2010094447.tif 000008
【図６】
2010094447.tif 000009
【図７】
2010094447.tif 000010